(57)【要約】【課題】無線モジュールのアンテナ部に対するカメラ本体の板金および電気部品からのノイズの影響を低減する。【解決手段】カメラ１００は、被写体を撮像するカメラ本体と、当該カメラ本体に対する位置が変更可能に取り付けられ、撮影の際にユーザーに把持される回転グリップ部１３０とを有している。回転グリップ部には外部と無線通信を行うためのアンテナ部が配置され、回転グリップ部がユーザーによって把持されない非把持位置に位置づけられた際にはアンテナ部はカメラ本体の上面よりも上側に位置し、ＣＰＵ１１３は回転グリップ部が非把持位置に位置づけられると、アンテナ部に接続された無線モジュールをオンとする。【選択図】図６
2018078513.tif 000002
【特許請求の範囲】
【請求項１】
被写体を撮像する撮像装置本体と、当該撮像装置本体に対する位置が変更可能に取り付けられ、撮影の際にユーザーに把持されるグリップ部とを有する撮像装置であって、
前記グリップ部には外部と無線通信を行うためのアンテナ部が配置され、
前記グリップ部がユーザーによって把持されない非把持位置に位置づけられた際、前記アンテナ部は前記撮像装置本体の上面よりも上側に位置しており、
前記グリップ部が前記非把持位置に位置づけられると、前記アンテナ部に接続された無線モジュールをオンとする制御手段を有することを特徴とする撮像装置。
【請求項２】
前記グリップ部が前記非把持位置に位置づけられたか否かを検出する検出手段を備え、
前記検出手段によって前記グリップ部が前記非把持位置に位置づけられたことが検出されると、前記制御手段は前記無線モジュールをオンすることを特徴とする請求項１に記載の撮像装置。
【請求項３】
前記非把持位置において前記グリップ部の下面と前記撮像装置の下面とによって規定される面はフラットであることを特徴とする請求項１又は２に記載の撮像装置。
【請求項４】
前記非把持位置は前記撮像装置本体における再生処理が行われる位置であることを特徴とする請求項１乃至３のいずれか１項に記載の撮像装置。
【請求項５】
前記グリップ部は前記撮像装置本体に対して回動可能に取り付けられていることを特徴とする請求項１乃至４のいずれか１項に記載の撮像装置。
【請求項６】
前記グリップ部には、少なくとも前記撮像の開始を指示する撮影開始ボタンが配置され、前記撮影開始ボタンは前記非把持位置において前記グリップ部の下面に位置することを特徴とする請求項１乃至５のいずれか１項に記載の撮像装置。
【請求項７】
被写体を撮像する撮像装置本体と、当該撮像装置本体に対する位置が変更可能に取り付けられ撮影の際にユーザーに把持されるグリップ部と、前記グリップ部に配置され外部と無線通信を行うためのアンテナ部とを有する撮像装置の制御方法であって、
前記グリップ部がユーザーによって把持されない非把持位置に位置づけられた際、前記アンテナ部は前記撮像装置本体の上面よりも上側に位置しており、
前記グリップ部が前記非把持位置に位置づけられたか否かを検出する検出ステップと、
前記検出ステップで前記グリップ部が前記非把持位置に位置づけられたことが検出されると、前記アンテナ部に接続された無線モジュールをオンとする制御ステップと、
を有することを特徴とする制御方法。
【請求項８】
被写体を撮像する撮像装置本体と、当該撮像装置本体に対する位置が変更可能に取り付けられ撮影の際にユーザーに把持されるグリップ部と、前記グリップ部に配置され外部と無線通信を行うためのアンテナ部とを有する撮像装置で用いられる制御プログラムであって、
前記グリップ部がユーザーによって把持されない非把持位置に位置づけられた際、前記アンテナ部は前記撮像装置本体の上面よりも上側に位置しており、
前記撮像装置が備えるコンピュータに、
前記グリップ部が前記非把持位置に位置づけられたか否かを検出する検出ステップと、
前記検出ステップで前記グリップ部が前記非把持位置に位置づけられたことが検出されると、前記アンテナ部に接続された無線モジュールをオンとする制御ステップと、
を実行させることを特徴とする制御プログラム。
【発明の詳細な説明】
【技術分野】
【０００１】
本発明は、撮像装置、その制御方法、および制御プログラムに関し、特に、無線通信モジュールを備える撮像装置に関する。
【背景技術】
【０００２】
従来、無線通信モジュールとして、例えば、ＧＰＳ（Ｇｌｏｂａｌ  Ｐｏｓｉｔｉｏｎｉｎｇ  Ｓｙｓｔｅｍ  ）ユニットおよび無線ＬＡＮユニットを搭載した撮像装置が知られている。ＧＰＳユニットによって、撮像装置では受信した測位情報から得られる撮影者および被写体の位置情報を記録媒体に記録する。一方、無線ＬＡＮユニットによって撮像装置をワイヤレスでホストコンピュータ又はテレビなどと接続することができる。
【０００３】
このような撮像装置では、電波を遮蔽しやすい物体にアンテナを遮られると著しく受信性能が低下する。よって、撮像装置の上部に無線通信モジュール用のアンテナを配置することが望ましい。
【０００４】
一方、小型の撮像装置においては、アンテナを配置可能なスペースが限られる。加えて、撮像装置を撮影者が把持した状態においてはアンテナが手で覆われてしまうことがある。そして、アンテナに人体が近接すると、人体からのノイズの影響によって送受信の感度が低下して、最悪の場合には通信ができないことがある。
【０００５】
このような問題に対して、従来、撮像装置の本体に対して開閉可能な表示ユニットの上面にアンテナを配置した撮像装置がある（特許文献１参照）。
【先行技術文献】
【特許文献】
【０００６】
【特許文献１】特開２０１２−１１４８７２号公報
【発明の概要】
【発明が解決しようとする課題】
【０００７】
ところが、特許文献１に記載の撮像装置では、アンテナを開閉可能な表示ユニットの上面に配置しているので、アンテナが撮像装置本体２０１よりも上側となることがない。そして、アンテナは撮像装置本体および表示ユニット筺体の板金および電気ノイズを放射する電気部品に近く、通信が妨害されて良好な通信を行えないことがある。
【０００８】
従って、本発明の目的は、無線モジュールのアンテナに対する撮像装置本体の板金および電気部品からのノイズの影響を低減することのできる撮像装置、その制御方法、および制御プログラムを提供することにある。
【課題を解決するための手段】
【０００９】
上記の目的を達成するため、本発明による撮像装置は、被写体を撮像する撮像装置本体と、当該撮像装置本体に対する位置が変更可能に取り付けられ、撮影の際にユーザーに把持されるグリップ部とを有する撮像装置であって、前記グリップ部には外部と無線通信を行うためのアンテナ部が配置され、前記グリップ部がユーザーによって把持されない非把持位置に位置づけられた際、前記アンテナ部は前記撮像装置本体の上面よりも上側に位置しており、前記グリップ部が前記非把持位置に位置づけられると、前記アンテナ部に接続された無線モジュールをオンとする制御手段を有することを特徴とする。
【発明の効果】
【００１０】
本発明によれば、無線モジュールのアンテナ部に対する撮像装置本体の板金および電気部品からのノイズの影響を低減することができる。
【図面の簡単な説明】
【００１１】
【図１】本発明の実施の形態による撮像装置の一例についてその構成を示すブロック図である。
【図２】図１に示すカメラの外観を後左側からみた斜視図である。
【図３】図１に示すカメラの外観を後右側からみた斜視図である。
【図４】図２および図３に示すグリップ部をローアングル撮影位置に回転させた状態でカメラの外観を示す斜視図である。
【図５】図２および図３に示す回転グリップ部を非把持位置に回転させた状態でカメラを後側から示す斜視図である。
【図６】図５に示す回転グリップ部の内部に配置されたＧＰＳ基板の位置を上側から示す図である。
【図７】図１に示すカメラによって行われるＧＰＳ受信部の電源処理を説明するためのフローチャートである。
【図８】従来の撮像装置の一例を表示装置が開いた状態で示す斜視図である。
【発明を実施するための形態】
【００１２】
以下に、本発明の実施の形態による撮像装置の一例について図面を参照して説明する。
【００１３】
ここでは、まず、本発明の実施の形態による撮像装置の理解を容易にするため、従来の撮像装置の一例について概説する。
【００１４】
図８は、従来の撮像装置の一例を表示装置が開いた状態で示す斜視図である。
【００１５】
撮像装置は撮像装置本体２０１を有しており、撮像装置本体２０１には表示装置が取り付けられている。表示装置は画像表示装置筐体２０２および液晶パネルなどの映像表示デバイス２０３を備え、画像表示装置筐体２０２は撮像装置本体２０１に開閉可能に取り付けられている。そして、画像表示装置筐体２０２に映像表示デバイス２０３が固定されている。映像表示デバイス２０３には、撮像レンズ２０９を介して撮影された画像又は撮像装置本体２０１に備えられた記録媒体（図示せず）に記録された画像が表示される。
【００１６】
また、画像表示装置筐体２０２はヒンジ部２０６によって回転軸２０７の回りに回転自在に撮像装置本体２０１に連結されており、図示の例では、画像表示装置筐体２０２は回転軸２０７を中心として矢印Ａで示す方向に回転可能である。画像表示装置筺体２０２の内部にはＧＰＳアンテナ２１４が内蔵されており、当該ＧＰＳアンテナの受信面は図中上側に向けられている。
【００１７】
図８に示す状態において、画像表示装置筐体２を回転軸７の回りに矢印Ｃの方向に回転させて閉じると、映像表示デバイス２０３の表示面が隠れる。
【００１８】
ところが、図示の撮像装置においては、ＧＰＳアンテナ２１４は撮像装置本体２０１よりも上側に位置していない。このため、ＧＰＳアンテナ２１４が撮像装置本体２０１および画像表示装置筺体２０２の板金、そして、電気ノイズを放射する電気部品に近く通信が妨害されることがある。
【００１９】
図１は、本発明の実施の形態による撮像装置の一例についてその構成を示すブロック図である。
【００２０】
図示の撮像装置は、例えば、デジタルビデオカメラ（以下単にカメラと呼ぶ）１００であり、フォーカスおよびズームなどの光学制御系を含む光学レンズ群と絞りとを有するレンズユニット部１０１を備えている。さらに、カメラ１００には、ＣＣＤなどの撮像素子を有するメイン撮像部１０２が備えられている。
【００２１】
カメラ１００は、カメラ信号処理部１０３、圧縮伸張処理部１０４、表示部１０５、記録再生処理部１０６、カード制御部１０７、グリップ回転検出部１０８、マイクロフォン１０９、音声信号処理部１１０、およびメモリ１１１を有している。また、カメラ１００は、メモリ制御部１１２、ＣＰＵ１１３、操作部１１４、デジタルＩ／Ｆ１１５、入出力部１１６、ＧＰＳ受信部１２４、ＧＰＳ信号処理部１２５、および電源制御部１１７を備えている。そして、これらブロックは、図示のように、相互にバス１１８によって接続されている。
【００２２】
メモリ１１１には、プログラム記憶領域およびデータ作業領域が規定されており、メモリ１１１はバス１１８を介してタイム・シェアリングで用いられる。なお、メモリ１１１はメモリ制御部１１２により制御されるとともに管理される。
【００２３】
ＣＰＵ１１３はプログラム記憶領域に記憶されたプログラムを実行して、カメラ１００全体を統括制御する。操作部１１４はユーザーによるキー操作などに応じて、ＣＰＵ１１３に動作指示を行う。
【００２４】
操作部１１４には、後述するズームツマミおよび動画撮影ボタンが備えられている。ズームツマミを用いて、ユーザーはレンズユニット部１０１の画角をワイド側又はテレ側に変化させるズーム操作を行うことができる。また、動画撮影ボタンの押圧操作によって、ユーザーは動画撮影のスタート／ストップを行うことができる。なお、ズームツマミおよび動画撮影ボタンは、後述するように、カメラ１００に対して回動可能な回転グリップ部に配置されている。
【００２５】
デジタルＩ／Ｆ１１５は、例えば、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）（登録商標）又はＵＳＢ（Ｕｎｉｖｅｒｓａｌ  Ｓｅｒｉａｌ  Ｂｕｓ）の規格に従って外部装置１２１と通信する際に用いられる。メモリーカード１１９は、例えば、ＳＤカード又はコンパクトフラッシュ（登録商標）などの脱着可能なフラッシュメモリーであって、メモリーカード１１９には、カード制御部１０７の制御下で撮影データおよび音声データが記録される。
【００２６】
電源制御部１１７は、例えば、バッテリ検出回路、ＤＣ−ＤＣコンバータ、および通電するブロックを切り替えるスイッチ回路を備えている。そして、電源制御部１１７はバッテリの装着の有無、バッテリの種類、およびバッテリの残量の検出を行う。バッテリ１２３は、例えば、リチウムイオン電池であり、バッテリ１２３によってカメラ１００に電源が供給される。
【００２７】
ＧＰＳ受信部（つまり、ＧＰＳアンテナ部）１２４は、ＧＰＳ衛星から位置および時間を示すＧＰＳデータ（ＧＰＳ信号）を受信する。ＧＰＳ信号処理部１２５はＧＰＳ信号を処理してカメラ１００の位置および当該位置における時刻を求める。図示のカメラ１００において、ＣＰＵ１１３は、カード制御部１０７によって位置情報および時刻情報を画像データとともにメモリーカード１１９に書き込む。そして、画像再生の際には、ＣＰＵ１１３は位置情報および時刻情報が参照して再生処理を行う。
【００２８】
いま、ユーザーが操作部１１４によって撮影および記録を指示すると、ＣＰＵ１１３の制御下で、レンズユニット部１０１はフォーカス制御などを行って光学像を所定の明るさおよび画角でメイン撮像部１０２に結像する。メイン撮像部１０２は号額増に応じた電気信号（アナログ信号）を出力する。カメラ信号処理部１０３はＡ／Ｄ変換によってアナログ信号をデジタル画像信号に変換する。そして、カメラ信号処理部１０３はデジタル画像信号に対して、色分離、階調補正、およびホワイトバランス調整などの所定の信号処理を施して画像データとして出力する。
【００２９】
音声信号処理部１１０は、マイクロフォン１０９による集音で得られた音声信号を所定のレベルにゲインコントロールした後、デジタル化して音声データとして出力する。
【００３０】
圧縮伸張処理部１０４は、画像データおよび音声データを所定の圧縮符号化方式によって圧縮符号化する。表示部１０５は、後述するように、液晶表示部およびＥＶＦを備えており、ＣＰＵ１１３は圧縮伸張処理部１０４による圧縮符号化対象の画像データを画像として表示部１０５に表示する。なお、表示部１０５には、必要に応じてカメラ１００の動作状況が所謂オンスクリーン・ディスプレイ情報として表示される。
【００３１】
記録再生処理部１０６は、圧縮伸張処理部１０４による圧縮符号化後の画像データに対して、エラー訂正符号化処理および変調処理などを施す。さらに、記録再生処理部１０６はＧＰＳ信号処理部１２５で得られた位置情報および時刻情報などのデータをアッシュク符号化後の画像データに付加して記録に適した形態に変換する。そして、ＣＰＵ１１３はカード制御部１０７によって記録再生処理部１０６の出力を記録データとしてメモリーカード１１９に記録する。
【００３２】
操作部１１４によって再生が指示されると、ＣＰＵ１１３の制御下で記録再生処理部１０６は、メモリーカード１１９から読み出した記録データについてエラー訂正および復調処理などを施して再生データとする。さらに、記録再生処理部１０６はＰＬＬ（Ｐｈａｓｅ  Ｌｏｃｋｅｄ  Ｌｏｏｐ）回路（図示せず）によって再生データに同期したクロックを生成する。
【００３３】
圧縮伸張処理部１０４は、記録再生処理部１０６から出力された再生データに対して、前述の圧縮符号化方式に対応した伸張処理を施して、圧縮符号化前の画像データおよび音声データを得る。そして、ＣＰＵ１１３は、表示部１０５に圧縮伸張処理部１０４で得られた画像データに応じた画像を表示する。なお、ＣＰＵ１１３は音声データに応じた音声をスピーカ（図示せず）から出力する。
【００３４】
操作部１１４によってデジタルＩ／Ｆ１１５からの入力データを記録する指示があると、ＣＰＵ１１３はデジタルＩ／Ｆ１１５に接続された外部装置１２１から画像データ又は音声データを受信データとして受信する。そして、ＣＰＵ１１３は当該受信データを記録再生処理部１０６に送る。なお、ここでは、外部装置１２１から送られた画像データ又は音声データは既に符号化されているものとする。そして、記録再生処理部１０６は、前述のようにして、受信データに対して記録に必要な処理を施してメモリーカード１１９に記録データとして記録する。
【００３５】
操作部１１４によって入出力部１１６からの入力データを記録する指示があると、ＣＰＵ１１３は入出力部１１６を制御して外部装置１２２から出力された画像信号および音声信号を入力する。当該画像信号および音声信号は入出力部１１６においてＡ／Ｄ変換して画像データおよび音声データとされる。そして、ＣＰＵ１１３は当該画像データおよび音声データをメモリ１１１に記録する。さらに、ＣＰＵ１１３はメモリ１１１に記憶された画像データおよび音声データを圧縮伸張処理部１０４によって圧縮符号化する。記録再生処理部１０６は、前述したようにして、圧縮符号化後の画像データおよび音声データに対して記録に必要な処理を施して、記録データとしてメモリーカード１１９に記録する。
【００３６】
なお、ＣＰＵ１１３には、グリップ回転検出処理部１０８が接続されている。グリップ回転検出処理部１０８は、後述するグリップ部の回転を検出してその検出結果をＣＰＵ１１３に送る。
【００３７】
図２は、図１に示すカメラの外観を後左側からみた斜視図である。また、図３は、図１に示すカメラの外観を後右側からみた斜視図である。そして、図４は、図２および図３に示す回転グリップ部をローアングル撮影位置に回転させた状態でカメラの外観を示す斜視図である。
【００３８】
回転グリップ部１３０は、カメラ１００に対して所定の回転軸回りに回転可能であり（つまり、カメラ１００に対する位置が変更可能である）、ユーザーは撮影状態に応じて回転グリップ１３０を所望の位置に回転することができる。図示のように、回転グリップ部１３０には、ズーム調整を行うズームツマミ１１４ａおよび動画撮影の開始を指示する動画撮影ボタン（撮影開始ボタン）１１４ｂが配置されている。ユーザーは回転グリップ部１３０を把持した状態でズームツマミ１１４ａおよび動画撮影ボタン１１４ｂを操作することができる。
【００３９】
表示部１０５には、液晶表示部１０５ａおよびＥＶＦ１０５ｂが備えられている。液晶表示部１０５ａはカメラ１００に対して回動可能であり、ユーザーは、撮影状態に応じて液晶表示部１０５ａを回動させれば、常に液晶表示部１０５ａによって画像をモニタしつつ撮影を行うことができる。カメラ１００の上面側にはハンドル部１２６が設けられており、ＥＶＦ１０５ｂはハンドル部１２６の後部に配置されている。なお、カメラ１００において、ハンドル部１２６および回転グリップ部１３０を除く部分はカメラ本体（撮像装置本体）と呼ばれる。
【００４０】
図４に示す状態に回転グリップ部１３０を回転させると、動画撮影ボタン１１４ｂがカメラ本体の上面側に移動する。これによって、ユーザーはローアングル撮影の際に動画撮影ボタン１１４ｂを容易に操作することができる。なお、図２〜図４においては、グリップ部１３０をユーザーが把持して撮影が行われることになる。つまり、グリップ部１３０はユーザーによる把持が可能な把持位置にある。
【００４１】
図５は、図２および図３に示す回転グリップ部１３０を非把持位置に回転させた状態でカメラを後側から示す斜視図である。また、図６は、図５に示す回転グリップ部１３０の内部に配置されたＧＰＳ基板１３１の位置を上側から示す図である。なお、回転グリップ部１３０は、ＧＰＳデータを受信する際又は動画再生などを行う際に非把持位置とされる。
【００４２】
回転グリップ部１３０を非把持位置とすると、動画撮影ボタン１１４ｂはカメラ本体の下面側に移動する。その結果、ユーザーは動画撮影ボタン１１４ｂを操作しづらくなる。つまり、回転グリップ部１３０が非把持位置となった場合には、ユーザーは動画撮影ボタン１１４ｂを操作することが困難であり、カメラ１００を回転グリップ部１３０によって把持している状態ではないことが多い。このような状態では、ＧＰＳ電波による人体の影響は少ない。
【００４３】
なお、図５に示す非把持位置においては、回転グリップ部１３０はカメラ本体の底面から突出することはない。よって、動画撮影ボタン１１４ｂが配置された面（ここでは、下面）はフラットとなって、カメラ１００を安定して置くことができる。
【００４４】
ＧＰＳ基板１３１には、図１で説明したＧＰＳ受信部１２４およびＧＰＳ信号処理部１２５が実装されている。ＧＰＳ基板１３１はフレキシブル基板および電線（図示せず）などによって、カメラ信号処理部１０３、メモリ１１１、およびＣＰＵ１１３などの信号制御処理系が実装されたメイン基板に接続されている。
【００４５】
図６に示すように、回転グリップ部１３０を非把持位置とすると、ＧＰＳ基板１３１は、カメラ本体の上部１００ａ（図５参照）を示す線Ａ−Ａよりも上側に位置する。この結果、ＧＰＳ基板１３１は、カメラ本体内の板金による電波の干渉およびメイン基板などの他の基板などによる電気ノイズの影響を受けにくくなって、ＧＰＳ電波を良好に受信することができる。
【００４６】
図７は、図１に示すカメラによって行われるＧＰＳ受信部の電源処理を説明するためのフローチャートである。なお、図示のフローチャートに係る処理はＣＰＵ１１３の制御下で行われる。また、ここでは、回転グリップ部１３０は所定の把持位置に位置するものとする。
【００４７】
まず、ＣＰＵ１１３はグリップ回転検出処理部１０８によって回転グリップ部１３０が回転されたか否かを判定する（ステップＳ１０１）。回転グリップ部１３０が回転されないと（ステップＳ１０１において、ＮＯ）、ＣＰＵ１１３はＧＰＳ電源処理を終了する。
【００４８】
一方、回転グリップ部１３０が回転されると（ステップＳ１０１において、ＹＥＳ）、ＣＰＵ１１３はグリップ回転検出処理部１０８で得られた検出結果に基づいて回転グリップ部１３０が非把持位置に回転されたか否かを判定する（ステップＳ１０２）。回転グリップ部１３０が非把持位置に回転されないと（ステップＳ１０２において、ＮＯ）、ＣＰＵ１１３はＧＰＳ電源処理を終了する。
【００４９】
回転グリップ部１３０が非把持位置に回転されると（ステップＳ１０２において、ＹＥＳ）、ＣＰＵ１１３はＧＰＳ基板１３１の電源をＯＮして、つまり、無線電源をＯＮして、ＧＰＳ電波を受信可能な状態する（ステップＳ１０３）。そして、ＣＰＵ１１３はＧＰＳ電源処理を終了する。
【００５０】
このように、本発明の実施の形態では、撮影の際にユーザーによって把持される回転グリップ部が所定の非把持位置（ユーザが回転グリップ部を把持しない位置）とされると、ＧＰＳ基板の電源をＯＮとする。ＧＰＳ基板は、回転グリップ部の内部において回転グリップ部が非把持位置とされた際に、カメラ板金による電波の干渉およびメイン基板などの他の基板などによる電気ノイズの影響を受けにくい位置に配置されている。つまり、ＧＰＳ基板は回転グリップ部の内部において回転グリップ部が非把持位置とされた際に、カメラ本体の上面よりも上側に位置する。この結果、電気ノイズおよび電波干渉の影響を低減して、良好にＧＰＳ電波を受信することができる。
【００５１】
上述の説明では、ＧＰＳ受信部を備えるＧＰＳ基板を回転グリップ部に配置する例について説明したが、ＧＰＳ受信部に限らず、画像データなどを外部装置と送受信するための無線モジュールを同様にして回転ブリップ部に配置するようにしてもよい。この場合においても、同様に電気ノイズおよび電波干渉の影響を低減して良好に送受信を行うことができる。
【００５２】
例えば、無線ＬＡＮなどによって通信を行う無線モジュールを回転グリップ部に配置するようにしてもよい。この場合には、良好に電波の送受信が可能となるので、通信速度の低下を防ぐことができる。
【００５３】
なお、回転グリップ部には少なくともアンテナ部のみを備えるようにすればよく、無線信号を処理する処理部は回転グリップ部以外の部分に配置するようにしてもよい。
【００５４】
以上、本発明の好ましい実施形態について説明したが、本発明はこれらの実施形態に限定されず、その要旨の範囲内で種々の変形及び変更が可能である。
【００５５】
例えば、上記の実施の形態の機能を制御方法として、この制御方法を撮像装置に実行させるようにすればよい。また、上述の実施の形態の機能を有するプログラムを制御プログラムとして、当該制御プログラムを撮像装置が備えるコンピュータに実行させるようにしてもよい。なお、制御プログラムは、例えば、コンピュータに読み取り可能な記録媒体に記録される。
【００５６】
［その他の実施形態］
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００５７】
１０２  メイン撮像部
１０３  カメラ信号処理部
１０５  表示部
１０８  グリップ回転検出処理部
１１３  ＣＰＵ
１１４  操作部
１２４  ＧＰＳ受信部
１２５  ＧＰＳ信号処理部
１３０  回転グリップ部
１３１  ＧＰＳ基板
【図１】
2018078513.tif 000003
【図２】
2018078513.tif 000004
【図３】
2018078513.tif 000005
【図４】
2018078513.tif 000006
【図５】
2018078513.tif 000007
【図６】
2018078513.tif 000008
【図７】
2018078513.tif 000009
【図８】
2018078513.tif 000010